(57)【要約】【課題】視聴予約や録画予約などの操作を行わなくても、いつでも好きな時に好きなテレビ番組を見逃すことなく視聴できる映像視聴システムを得る。【解決手段】日々の予定や行事を記録する補助デバイス側のスケジュール帳（ユーザスケジュールデータベース）において、スケジュール項目としてテレビ視聴行動を記録できるようにするとともに、映像受信再生デバイスを介してテレビ受像機に映像を出力して視聴する。また、スケジュール帳上でスケジュール内容を変更するのに連動して、映像受信再生デバイスが自動的に視聴予約および録画予約、録画、チャンネル切り替えなどを自動制御する。さらに、ユーザ状況、予定しているスケジュール、テレビ番組の重要性に応じて、新規登録および変更時にスケジュール内容や視聴方法の候補を提示する。【選択図】図１
2014123886.tif 000002
【特許請求の範囲】
【請求項１】
映像受信再生デバイスと、ユーザが所持する補助デバイスとが通信を介して連携して、映像を表示・録画する映像視聴システムであって、
前記補助デバイスは、
ユーザの視聴予定映像及び行動予定について、ユーザスケジュールデータベースで管理するユーザスケジュール管理部と、
ユーザの位置状況を推定するユーザ状況推定部と、
を備え、
前記映像受信再生デバイスは、
受信可能な映像に関する予定情報が登録された映像スケジュールデータベースと、
前記補助デバイスのユーザ状況推定部及びユーザスケジュール管理部と連携し、映像スケジュールデータベースに基づいて、そのときのユーザ位置状況に適した視聴方法を決定する視聴方法決定部と、
前記視聴方法決定部で決定された視聴方法に基づいて、受信映像の再生・録画に関して制御する映像制御部と、
を備えることを特徴とする映像視聴システム。
【請求項２】
前記補助デバイスは、
前記視聴方法決定部にて決定された視聴方法をユーザに提示する提示部を備え、
前記視聴方法に対してユーザが了承したことを示す入力がなされた場合に、その視聴方法に基づいて前記視聴方法決定部から提示された視聴方法を、前記映像制御部に通知する請求項１に記載の映像視聴システム。
【請求項３】
前記ユーザスケジュール管理部は、
ユーザの行動予定を入力するための行動予定入力部を備え、
日常の行動予定や行事などのユーザの行動予定を入力したり、前記映像スケジュールデータベースの内容を参照して、映像視聴の行動予定として指定した日時に視聴予定映像を観るという行動予定を入力可能とする請求項１に記載の映像視聴システム。
【請求項４】
前記映像受信再生デバイスは、
テレビ放送波からテレビ放送信号を受信するチューナ部、又は、インターネットのストリーミング配信型の映像も受信できるインターネット接続部を備えることで映像を受信する請求項１に記載の映像視聴システム。
【請求項５】
前記補助デバイスは、
前記通信部を通じて映像受信再生デバイスが再生する映像を受信し、再生する映像受信再生部を備える請求項１に記載の映像視聴システム。
【請求項６】
ユーザ状況推定部は、ユーザ状況として、ユーザの現在位置と映像受信再生デバイスの所在位置との位置関係を算出し、
ユーザスケジュール管理部は、現在時刻と、ユーザスケジュールデータベースに登録されている映像視聴の行動予定の開始時刻との時間差（予定待機時間）を算出し、
視聴方法決定部は、前記位置関係と時間差の関係から、視聴予定映像を映像受信再生デバイスで受信・再生するか、映像受信再生デバイスで受信・録画するか、補助デバイスで受信・再生するかのいずれかを決定する。
請求項１から５のいずれかに記載の映像視聴システム。
【請求項７】
前記視聴方法決定部は、
映像視聴の行動予定通りに視聴できない場合、又は、ユーザ状況に適した視聴方法が決定されなかった場合、視聴予定映像を映像受信再生デバイスで受信・録画する
請求項６に記載の映像視聴システム。
【請求項８】
前記視聴方法決定部は、
ユーザの現在位置が映像受信再生デバイスが設置されたユーザの自宅内であり、予定待機時間が所定以内である場合、映像受信再生デバイスで視聴予定映像を受信・再生すると決定し、
ユーザの現在位置がユーザの自宅内であり、時間差が所定以上である場合、補助デバイスで視聴予定映像を受信・再生すると決定し、
ユーザの現在位置がユーザの自宅外である場合、映像受信再生デバイスで受信・録画すると決定する
請求項６に記載の映像視聴システム。
【請求項９】
映像受信再生デバイスの設置場所が、ユーザの現在位置から近い高速インターネット通信可能なスポットであり、
予定待機時間が所定以内である場合、前記映像受信再生デバイスで視聴予定映像を受信・再生すると決定する
請求項８に記載の映像視聴システム。
【請求項１０】
前記視聴方法決定部において予定待機時間を元に決定判断に利用する所定値は、現在位置から映像受信再生デバイスの所在位置までのユーザの移動時間である請求項８に記載の映像視聴システム。
【請求項１１】
映像の再生制御を行う再生制御部を備え、
前記視聴方法決定部は、ユーザ状況から推測して、映像視聴の行動予定の時間通り視聴できない場合、視聴予定映像の重要箇所のみを抽出することを前記再生制御部に通知し
前記再生制御部は、視聴予定映像の重要箇所のみを再生する
請求項１から１０のいずれかに記載の映像視聴システム。
【請求項１２】
前記再生制御部は、ユーザの周辺環境（映像を出力できるが音は出力できない、あるいは、映像を出力できないが音は出力できる）に合わせて、映像を出力しない又は音を出力しないで再生する請求項１１に記載の映像視聴システム。
【請求項１３】
行動予定入力部にて入力された行動予定と、ユーザスケジュールデータベース内の行動予定とを照合して、競合する行動予定が存在した場合は、双方の重要度を算出し、優先度の高い行動予定を優先してユーザスケジュールデータベース内に登録・更新する行動予定制御部を備える請求項１から１０のいずれかに記載の映像視聴システム。
【請求項１４】
映像視聴に関する行動予定の重要度は、映像解析、テキスト解析、ユーザ嗜好分析の少なくともいずれかを用いて算出する請求項１３に記載の映像視聴システム。
【請求項１５】
前記行動予定は、ユーザ自身の行動予定だけでなく、自身の行動予定に影響を与える他人の行動予定も含める請求項１から１０のいずれかに記載の映像視聴システム。
【請求項１６】
ユーザが所持しユーザの視聴予定映像及び行動予定を管理するスケジュール帳を備えると共に、ユーザの位置状況を推定する機能を備えたモバイル端末に対して、通信を介して連携することで映像を表示・録画する装置であって、
受信可能な映像に関する予定情報が登録された映像スケジュールデータベースと、
前記モバイル端末からのユーザの視聴予定映像及び行動予定のスケジュール及びユーザの位置情報から、ユーザ状況に適した視聴方法を決定する視聴方法決定部と、
前記視聴方法決定部で決定された視聴方法に基づいて、受信映像の再生・録画に関して制御する映像制御部と、
を備えることを特徴とする視聴スケジュール管理装置。
【発明の詳細な説明】
【技術分野】
【０００１】
本発明は、ユーザのスケジュールの管理を行ってテレビ視聴を可能とする映像視聴システムに関し、日々の予定や行事などの記録・確認・変更と同時に、テレビ視聴に関する行動も記録・確認・変更することで、いつでも好きなときに、好きなテレビ番組を見逃すことなく視聴できる映像視聴システム及びこのシステムに使用する視聴スケジュール管理装置に関する。
【背景技術】
【０００２】
パソコンや携帯電話などの情報通信端末には、日々の予定や行事を記録するスケジュール帳アプリが存在する。このアプリを利用することにより、ユーザは、友人と食事する約束をした時には、「○年○月○日○時○分から○と○にて食事」、子供の運動会の日程が決定した時には、「○年○月○日小学校運動会」などの予定を記録できる。
【０００３】
また、同じように、ユーザの日々の行動予定との違いはあれ、テレビ番組の録画予約をカレンダーに登録するものがある。特許文献１では、記録した予定の一覧が見易くなるように、カレンダー形式の表示に対してアイコンを使ってどんな内容かを示すことで、使い勝手の良い録画予約番組及び／又は視聴予約番組の一覧を表示できる放送受信システムが開示されている。
【０００４】
さらに、市販されているテレビ受像機の「視聴予約」機能や、iPhone/iPad向けアプリ「テレビ番組欄」（株式会社 日宣）（http://www.nissenad.co.jp/tvran/）のように、任意の番組に対して、アラームを設定しておき、その番組の放送が開始される前に、メッセージやアラームを出すことで、ユーザが見たいと思っていた番組を見逃さなくてすむようにするアプリも存在する。
【０００５】
また、デジタル放送テレビでは、前番組が延長され、放送開始時間が急遽遅れたとしても、視聴予約時間や録画予約時間を自動的にずらしてくれるなどの機能が搭載されるため、録画時刻を手動で変更する必要がなく、見たいと思っていた番組の録画を失敗することもなくなった。
【０００６】
しかしながら、従来のテレビ視聴環境は、放送スケジュールに、ユーザが都合を合わせて、行動予定を決定する必要がある。
例えば、午後８時から放送開始されるテレビ番組を見逃さずに見るためには、（１）同番組が始まる前にテレビを付けて手動で選局する方法、（２）視聴予約をしておくことで、同時刻になるときに、テレビが自動的に選局してくれる方法、（３）録画予約をしておき、一旦録画しておいて、好きな時刻に、録画された同番組を再生する方法がある。
【先行技術文献】
【特許文献】
【０００７】
【特許文献１】特開２０１０−２１２８４３号公報
【発明の概要】
【発明が解決しようとする課題】
【０００８】
上述したテレビ視聴環境であると、（１）の場合、開始時刻を忘れてしまっていたり、近くにテレビがないなどで、見逃す可能性がある。（２）の場合、開始時刻を忘れることはないが、近くにテレビがないとき、見逃す可能性がある。（３）の場合、開始時刻を忘れることも、見逃す心配もないが、録画したにも関わらず、見ないまま放置される可能性がある。特に、今後、テレビ視聴環境における録画容量の増大に伴い、とりあえず録画しておいたが、結局見ることを忘れることになりかねないという懸念があった。
【０００９】
また、例えば、午後８時から放送開始されるテレビ番組があり、外出していたが、帰宅するのが遅れて、放送開始時刻に間に合わない。このとき、従来では、外出先から録画予約可能なシステムが存在するため、外出先からでも録画予約することで、当番組を見逃すことはないが、帰宅後、一旦録画されたもののメニューを選択し、一覧の中から当番組を選択し、再生する、という操作が必要であり、ステップ数が多く繁雑であるという課題があった。
【００１０】
このように、従来のテレビ視聴環境においては、見たい番組を自分の好きな時間にスケジューリングすることができない。また、視聴予約や録画予約などの操作、多チャンネルで放送される大量のテレビ番組に加え、Ustream（http://www.ustream.tv）に代表されるインターネット上の放送サービスなども考慮して管理できるものはなかった。
【００１１】
本発明は、上記実情に鑑みて提案されたもので、ユーザの日々の行動予定のスケジューリング（記録、確認、変更）と同じように、テレビ視聴の行動予定も簡単にスケジューリングできるようにして、見たいテレビ番組を見逃さないで、視聴できるようにする映像視聴システム及び視聴スケジュール管理装置を提供することを目的としている。
【課題を解決するための手段】
【００１２】
上記目的を達成するため請求項１の発明は、映像受信再生デバイスと、ユーザが所持する補助デバイスとが通信を介して連携して、映像を表示・録画する映像視聴システムであって、次の構成を含むことを特徴としている。
前記補助デバイスは、ユーザの視聴予定映像及び行動予定について、ユーザスケジュールデータベースで管理するユーザスケジュール管理部と、ユーザの位置状況を推定するユーザ状況推定部と、を備える。
前記映像受信再生デバイスは、受信可能な映像に関する予定情報が登録された映像スケジュールデータベースと、前記補助デバイスのユーザ状況推定部及びユーザスケジュール管理部と連携し、映像スケジュールデータベースに基づいて、そのときのユーザ位置状況に適した視聴方法を決定する視聴方法決定部と、前記視聴方法決定部で決定された視聴方法に基づいて、受信映像の再生・録画に関して制御する映像制御部と、を備える。
【００１３】
請求項２の発明は、請求項１の映像視聴システムにおいて、前記補助デバイスは、前記視聴方法決定部にて決定された視聴方法をユーザに提示する提示部を備え、前記視聴方法に対してユーザが了承したことを示す入力がなされた場合に、その視聴方法に基づいて前記視聴方法決定部から提示された視聴方法を、前記映像制御部に通知することを特徴としている。
【００１４】
請求項３の発明は、請求項１の映像視聴システムにおいて、
前記ユーザスケジュール管理部は、
ユーザの行動予定を入力するための行動予定入力部を備え、
日常の行動予定や行事などのユーザの行動予定を入力したり、前記映像スケジュールデータベースの内容を参照して、映像視聴の行動予定として指定した日時に視聴予定映像を観るという行動予定を入力可能とすることを特徴としている。
【００１５】
請求項４の発明は、請求項１の映像視聴システムにおいて、
前記映像受信再生デバイスは、
テレビ放送波からテレビ放送信号を受信するチューナ部、又は、インターネットのストリーミング配信型の映像も受信できるインターネット接続部を備えることで映像を受信することを特徴としている。
【００１６】
請求項５の発明は、請求項１の映像視聴システムにおいて、
前記補助デバイスは、
前記通信部を通じて映像受信再生デバイスが再生する映像を受信し、再生する映像受信再生部を備えることを特徴としている。
【００１７】
請求項６の発明は、請求項１から５のいずれかに記載の映像視聴システムにおいて、
ユーザ状況推定部は、ユーザ状況として、ユーザの現在位置と映像受信再生デバイスの所在位置との位置関係を算出し、
ユーザスケジュール管理部は、現在時刻と、ユーザスケジュールデータベースに登録されている映像視聴の行動予定の開始時刻との時間差（予定待機時間）を算出し、
視聴方法決定部は、前記位置関係と時間差の関係から、視聴予定映像を映像受信再生デバイスで受信・再生するか、映像受信再生デバイスで受信・録画するか、補助デバイスで受信・再生するかのいずれかを決定することを特徴としている。
【００１８】
請求項７の発明は、請求項６の映像視聴システムにおいて、
前記視聴方法決定部は、
映像視聴の行動予定通りに視聴できない場合、又は、ユーザ状況に適した視聴方法が決定されなかった場合、視聴予定映像を映像受信再生デバイスで受信・録画することを特徴としている。
【００１９】
請求項８の発明は、請求項６の映像視聴システムにおいて、
前記視聴方法決定部は、
ユーザの現在位置が映像受信再生デバイスが設置されたユーザの自宅内であり、予定待機時間が所定以内である場合、映像受信再生デバイスで視聴予定映像を受信・再生すると決定し、
ユーザの現在位置がユーザの自宅内であり、時間差が所定以上である場合、補助デバイスで視聴予定映像を受信・再生すると決定し、
ユーザの現在位置がユーザの自宅外である場合、映像受信再生デバイスで受信・録画すると決定することを特徴としている。
【００２０】
請求項９の発明は、請求項８の映像視聴システムにおいて、
映像受信再生デバイスの設置場所が、ユーザの現在位置から近い高速インターネット通信可能なスポットであり、
予定待機時間が所定以内である場合、前記映像受信再生デバイスで視聴予定映像を受信・再生すると決定することを特徴としている。
【００２１】
請求項１０の発明は、請求項８の映像視聴システムにおいて、
前記視聴方法決定部において予定待機時間を元に決定判断に利用する所定値は、現在位置から映像受信再生デバイスの所在位置までのユーザの移動時間であることを特徴としている。
【００２２】
請求項１１の発明は、請求項１から１０のいずれかに記載の映像視聴システムにおいて、
映像の再生制御を行う再生制御部を備え、
前記視聴方法決定部は、ユーザ状況から推測して、映像視聴の行動予定の時間通り視聴できない場合、視聴予定映像の重要箇所のみを抽出することを前記再生制御部に通知し
前記再生制御部は、視聴予定映像の重要箇所のみを再生することを特徴としている。
【００２３】
請求項１２の発明は、請求項１１の映像視聴システムにおいて、
前記再生制御部は、ユーザの周辺環境（映像を出力できるが音は出力できない、あるいは、映像を出力できないが音は出力できる）に合わせて、映像を出力しない又は音を出力しないで再生することを特徴としている。
【００２４】
請求項１３の発明は、請求項１から１０のいずれかに記載の映像視聴システムにおいて、
行動予定入力部にて入力された行動予定と、ユーザスケジュールデータベース内の行動予定とを照合して、競合する行動予定が存在した場合は、双方の重要度を算出し、優先度の高い行動予定を優先してユーザスケジュールデータベース内に登録・更新する行動予定制御部を備えることを特徴としている。
【００２５】
請求項１４の発明は、請求項１３の映像視聴システムにおいて、
映像視聴に関する行動予定の重要度は、映像解析、テキスト解析、ユーザ嗜好分析の少なくともいずれかを用いて算出することを特徴としている。
【００２６】
請求項１５の発明は、請求項１から１０のいずれかに記載の映像視聴システムにおいて、
前記行動予定は、ユーザ自身の行動予定だけでなく、自身の行動予定に影響を与える他人の行動予定も含めることを特徴としている。
【００２７】
請求項１６の発明は、ユーザが所持しユーザの視聴予定映像及び行動予定を管理するスケジュール帳を備えると共に、ユーザの位置状況を推定する機能を備えたモバイル端末に対して、通信を介して連携することで映像を表示・録画する視聴スケジュール管理装置であって、
受信可能な映像に関する予定情報が登録された映像スケジュールデータベースと、
前記モバイル端末からのユーザの視聴予定映像及び行動予定のスケジュール及びユーザの位置情報から、ユーザ状況に適した視聴方法を決定する視聴方法決定部と、
前記視聴方法決定部で決定された視聴方法に基づいて、受信映像の再生・録画に関して制御する映像制御部と、
を備えることを特徴としている。
【発明の効果】
【００２８】
本発明によれば、日々の予定や行事を記録する補助デバイス側のスケジュール帳（ユーザスケジュールデータベース）において、スケジュール項目として、テレビ視聴行動を記録できるようにするとともに、映像受信再生デバイスを介してテレビ受像機に映像を出力して視聴することができる。
また、スケジュール帳上でスケジュール内容を変更するのに連動して、映像受信再生デバイスにより自動的に視聴予約および録画予約、録画、チャンネル切り替えなどを自動制御する。
さらに、ユーザ状況、予定しているスケジュール、テレビ番組の重要性に応じて、新規登録および変更時にスケジュール内容や視聴方法の候補を提示する。
【００２９】
その結果、日々の行動予定と同じ感覚で、テレビ視聴のスケジュールを管理できる。
また、スケジュールを新規登録するとき、変更するとき、予定していたスケジュールを変更する必要性が生じたとき、スケジュール方法および視聴方法の候補を、ユーザの状況、他のスケジュール、テレビ番組の重要性に応じて、自動的に提示することができる。
【図面の簡単な説明】
【００３０】
【図１】本発明の映像視聴システムを示すブロック図である。
【図２】表示されるスケジュール帳の例を示す図である。
【図３】本発明の映像視聴システムにおいて、登録済みテレビスケジュールに基づくテレビ再生・録画管理を行う場合のSTB側のフローチャート図である。
【図４】表示されるテレビ番組表及びスケジュール帳の遷移例を示す図である。
【図５】本発明の映像視聴システムにおいて、テレビ番組スケジュールの新規追加を行う場合の手順を示すもので、（ａ）はモバイル側のフローチャート図、（ｂ）はSTB側のフローチャート図である。
【図６】表示されるテレビ番組表及びスケジュール帳の例を示す図である。
【図７】本発明の映像視聴システムにおいて、テレビ番組スケジュールの新規追加に伴って行う映像受信再生デバイス(STB)側の動作についてのフローチャート図である。
【図８】表示されるテレビ番組表及びスケジュール帳の遷移例を示す図である。
【図９】本発明の映像視聴システムにおいて、テレビ番組スケジュールの変更を行う場合の手順を示すもので、（ａ）はモバイル側のフローチャート図、（ｂ）はSTB側のフローチャート図である。
【発明を実施するための形態】
【００３１】
本発明に係る映像視聴システムの実施形態の一例について、図面を参照しながら説明する。
映像視聴システムは、映像の受信及び出力を行う映像受信再生デバイス(STB)１と、映像受信再生デバイスに対して遠隔操作を行う補助デバイス（モバイル端末）２を備えて構成されている。映像受信再生デバイス(STB)１は、テレビ受像機３に映像を出力するようになっている。図１では、映像受信再生デバイス１とテレビ受像機３とを分けているが、一体の構成であってもよい。
映像受信再生デバイス１は、テレビ放送波からテレビ放送信号を受信するチューナ部、又は、インターネットのストリーミング配信型の映像も受信できるインターネット接続部を備えることで映像を受信するように構成されている。
【００３２】
補助デバイス２は、スマートフォン等のモバイル端末で構成され、STB通信部２１、ユーザスケジュールデータベース２２、ユーザ状況推定部２３、ユーザスケジュール管理部２４を備えて構成されている。
STB通信部２１は、映像受信再生デバイス１のモバイル端末通信部１５との間でデータの送受信を行うものである。したがって、映像受信再生デバイス１のモバイル端末通信部１５と、補助デバイス２のSTB通信部２１とが通信を介して連携している。
【００３３】
ユーザ状況推定部２３は、ユーザの位置状況について、ＧＰＳやＷｉ−Ｆｉ接続の有無で推定するものである。
ユーザスケジュール管理部２４は、ユーザにより入力されたユーザの映像視聴の行動予定及び日常の行動予定や行事などのユーザの行動予定を管理し、例えば「映像を視聴する」等の行動スケジュール（スケジュール帳）がユーザスケジュールデータベース２２に格納される。また、スケジュール帳は、モバイル端末が備える表示部に表示可能に構成されている。
【００３４】
例えば、ユーザ状況推定部２３は、ユーザ状況として、ユーザの現在位置と映像受信再生デバイスの所在位置との位置関係を算出し、ユーザスケジュール管理部２４は、現在時刻と、ユーザスケジュールデータベース２２に登録されている映像視聴の行動予定の開始時刻との時間差（予定待機時間）を算出し、視聴方法決定部１４は、位置関係と時間差の関係から、視聴予定映像を映像受信再生デバイスで受信・再生するか、映像受信再生デバイスで受信・録画するか、補助デバイスで受信・再生するかのいずれかを決定する。
【００３５】
ユーザスケジュール管理部２４は、ユーザの行動予定を入力するための行動予定入力部２５を備え、日常の行動予定や行事などのユーザの行動予定を入力したり、映像スケジュールデータベース１６の内容を参照して、映像視聴の行動予定として指定した日時に視聴予定映像を観るという行動予定が入力できるようになっている。
【００３６】
また、ユーザスケジュール管理部２４は、行動予定入力部２５にて入力された行動予定と、ユーザスケジュールデータベース２２内の行動予定とを照合して、競合する行動予定が存在した場合は、双方の重要度を算出し、優先度の高い行動予定を優先してユーザスケジュールデータベース２２内に登録・更新する行動予定制御部を備えている。
映像視聴に関する行動予定の重要度は、例えば、映像解析、テキスト解析、ユーザ嗜好分析の少なくともいずれかを用いて算出するようになっている。
【００３７】
映像解析を用いて算出する重要度は、映像中の動画又は音声を元に、盛り上がり区間や重要区間を推定する映像解析技術を利用して得られた特徴量を元に映像の重要性を算出した値とする。
テキスト解析を用いて算出する重要度は、時系列で投稿されたインターネット上の書き込みから、盛り上がり区間や重要区間を推定するテキスト解析技術を利用して得られた特徴量を元に映像の重要性を算出した値とする。
ユーザ嗜好分析を用いて算出する重要度は、ユーザの視聴履歴に基づいたユーザの嗜好分析技術を利用して得られた特徴量を元に映像の重要性を算出した値とする。
【００３８】
視聴スケジュール管理装置としての映像受信再生デバイス（STB）１は、例えばユーザの自宅に設置され、映像制御部１１、録画映像記録部１２、映像データベース１３、視聴方法決定部１４、モバイル端末通信部１５、映像スケジュールデータベース１６を備えて構成されている。また、映像受信再生デバイス（STB）１には、補助デバイス２のSTB通信部２１及びモバイル端末通信部１５を介して、補助デバイス２のユーザスケジュールデータベース２２と同様のユーザスケジュールデータベース２２がコピーされている。
映像制御部１１は、映像の受信・再生・録画を制御するもので、録画する場合は映像を録画映像記録部１２へ出力する。録画映像記録部１２は、受信した映像を映像データベース１３に格納する。また、後述するように、視聴方法決定部１４で決定された視聴方法に基づいて、受信映像の再生・録画に関する制御を行う。
【００３９】
視聴方法決定部１４は、ユーザが映像を視聴するに際しての方法、自宅又は外出先で観る、番組放送時間に観る、録画して後で観る等の選択を決定するものである。選択の決定に際しては、補助デバイス２のユーザ状況推定部２３及びユーザスケジュール管理部２４と連携し、ユーザスケジュールデータベース２２に基づいて、そのときのユーザ位置状況に適した視聴方法を決定する。
【００４０】
以下、視聴方法決定部１４において視聴方法を決定する場合のパターン例について説明する。
例えば、映像視聴の行動予定通りに視聴できない場合、又は、ユーザ状況に適した視聴方法が決定されなかった場合、視聴方法決定部１４は、視聴予定映像を映像受信再生デバイスで受信・録画するよう決定する。
また、ユーザの現在位置が映像受信再生デバイスが設置されたユーザの自宅内であり、予定待機時間が所定以内である場合、視聴方法決定部１４は、映像受信再生デバイスで視聴予定映像を受信・再生すると決定する。
ユーザの現在位置がユーザの自宅内であり、時間差が所定値以上である場合、視聴方法決定部１４は、補助デバイスで視聴予定映像を受信・再生すると決定する。この場合、視聴方法決定部１４において予定待機時間を元に決定判断に利用する所定値は、現在位置から映像受信再生デバイスの所在位置までのユーザの移動時間とする。
ユーザの現在位置がユーザの自宅外である場合、視聴方法決定部１４は、映像受信再生デバイスで受信・録画すると決定する。
【００４１】
また、映像受信再生デバイス１の設置場所が、ユーザの現在位置から近い高速インターネット通信可能なスポットであり、予定待機時間が所定以内である場合、視聴方法決定部１４は、前記映像受信再生デバイスで視聴予定映像を受信・再生すると決定する。
【００４２】
モバイル端末通信部１５は、補助デバイス（モバイル端末）２とのデータの送受信を行うものである。
映像スケジュールデータベース１６は、受信可能な映像に関する予定情報が登録されており、例えば配信されたテレビ番組表の番組スケジュールが格納されている。
【００４３】
再生制御部１７は、視聴方法決定部１４で決定された視聴方法により視聴予定映像を再生するに際して、再生制御を行うものである。
例えば、視聴方法決定部１４により、ユーザ状況から推測して、映像視聴の行動予定の時間通り視聴できない場合は、視聴予定映像の重要箇所のみを抽出することを再生制御部１７に通知し、再生制御部１７は、視聴予定映像の重要箇所のみを再生することで再生時間の短縮化を図る。
また、再生制御部１７は、ユーザの周辺環境（映像を出力できるが音は出力できない、あるいは、映像を出力できないが音は出力できる）に合わせて、映像を出力しない又は音を出力しないで再生するよう制御してもよい。
【００４４】
再生制御部１７により視聴予定映像の重要箇所のみを再生する場合、ユーザの行動予定の空き時間に合わせて、動画や音声から映像の盛り上がり区間や重要区間を推定する既存の映像解析技術を利用してダイジェスト映像を再生してもよい。
或いは、ユーザの行動予定の空き時間に合わせて、時系列で投稿されたインターネット上の書き込みから映像の盛り上がり区間や重要区間を推定する既存のテキスト解析技術を利用してダイジェスト映像を再生してもよい。
【００４５】
補助デバイス２は、映像受信再生デバイス１の視聴方法決定部１４にて決定された視聴予定映像の視聴方法をユーザに提示する提示部を備えていてもよい。この提示部に提示された視聴方法に対して、ユーザが了承したことを示す入力がなされた場合に、その視聴方法に基づいて視聴方法決定部１４から提示された視聴方法を、映像制御部１１に通知することで、視聴予定映像の再生又は録画が行われる。
【００４６】
また、補助デバイス２は、通信により映像受信再生デバイス１が再生する映像を受信し、再生する映像受信再生部（図示せず）を備えることで、補助デバイス２側で視聴予定映像を再生することが可能となる。また、補助デバイス２側で視聴予定映像を再生する場合、補助デバイス２のバッテリー状況を映像受信再生デバイス１に通知し、このデータを考慮して映像受信再生デバイス１が視聴方法を選択するようにしてもよい。
【００４７】
テレビ受像機３は、映像受信再生デバイス１から出力される映像の再生を行うものであり、自宅に設置される場合や、公衆無線LANスポットに設置される場合がある。
再生を想定するテレビ番組は、
・地上波デジタル放送、BSデジタル放送、および、CSデジタル放送
・インターネット上のストリーミング放送（特に、ライブ限定で録画できないもの）
である。
また、これらの属性情報は、「番組名」「放送局」「放送開始日時」「放送終了日時」「内容」「出演者」「番組カテゴリ」とする。
【００４８】
また、上述した映像視聴システムにおいて、スケジュールおよび視聴方法の適応的な候補提示に影響を及ぼす要因としては、
・自分の（テレビ番組かどうかに関わらない）登録済みスケジュール
属性情報は、「名称」「開始日時」「終了日時」とする。
・あらかじめ登録してある自分以外の登録済みスケジュール
属性情報は、「名称」「開始日時」「終了日時」とする。
・ユーザの移動状況
属性情報としては、
「場所（住所）」
「状況（止まっている／歩いている／走っている／交通機関で移動している／それ以外）」
「周辺環境（音声付動画を視聴できる／音声出力できない／映像出力できない）」
「ユーザ所有端末の通信環境（宅内無線LANスポット／モバイル通信／公衆無線LANスポット）」
「最近隣（宅内あるいは公衆）無線LANスポットまでの距離」
とする。
・対象のテレビ番組（放送前）に関するインターネット解析情報に基づく重要度
属性上表としては、「インターネット上での当該テレビ番組に関する情報（ブログ、Twitter、口コミなど）を解析して得られる当該テレビ番組全体の重要度」
・対象のテレビ番組（放送済み）に関するインターネット解析情報に基づく重要度
属性情報としては、「インターネット上での当該テレビ番組に関する情報（ブログ、Twitter、口コミなど）を解析して得られる当該テレビ番組全体の重要度」および「テレビ番組の進行に合わせてインターネット情報を時系列に解析して得られるテレビ番組の区間ごとの重要度」とする。
・対象のテレビ番組（放送済み）に関する映像解析情報に基づく重要度
属性情報としては、「映像解析によって得られる当該テレビ番組全体の重要度」および「テレビ番組の進行に合わせて映像解析して得られるテレビ番組の区間ごとの重要度」とする。
【００４９】
上述した映像視聴システムの例では、行動予定は、ユーザ自身の行動予定としたが、ユーザ自身の行動予定に影響を与える他人の行動予定も行動予定に含めることをできる。この場合、行動予定入力部２５に他人の行動予定を手動で入力する他に、予め登録した他人との間で行動予定を共有する通信を行うことで自動的に設定することもできる。
【００５０】
以下、映像視聴システムの基本動作となる（１）「登録済みスケジュールに基づくテレビ再生・録画管理」、（２）「テレビ番組スケジュールの新規追加」、（３）「テレビ番組スケジュールの変更」についてそれぞれ説明する。
【００５１】
（１）登録済みテレビスケジュールに基づくテレビ再生・録画管理
ユーザが事前に視聴したいテレビ番組について、登録済みテレビ番組としてユーザスケジュールデータベース２２に登録した場合に、テレビ番組の開始時刻になったときの映像視聴システムの動作について、図２のスケジュール表及び図３のフローチャート図を参照して説明する。
【００５２】
ユーザスケジュールデータベース２２のスケジュール表（図２）に、事前に「20：30からテレビ番組Y-20-01を見る」というスケジュールが登録されていて、現在時刻が20：30になった時、かつ、ユーザがテレビの前にいるとき、映像制御部１１は、当該テレビ番組をテレビ受像機３に表示する。
【００５３】
映像制御部１１では、ユーザスケジュールデータベース２２に登録済みテレビ番組情報を取得し（ステップ３１）、スケジュールの開始時刻かどうかを判断し（ステップ３２）、開始時間である場合に登録済みテレビ番組が放送中番組か録画済番組かの判定を行う（ステップ３３）。
放送中番組である場合は、ユーザ状況推定部２３からの情報によりユーザがテレビの前かどうかを判断し（ステップ３４）、ユーザがテレビの前にいる場合には、テレビ受像機３において選局したテレビ番組を表示する（ステップ３５）。
ステップ３４においてユーザがテレビの前にいない場合には、テレビ番組を録画し（ステップ３６）、録画中情報をユーザスケジュールデータベース２２に更新する（ステップ３７）。
ステップ３３において登録済みテレビ番組が録画済番組である場合は、補助デバイス２のユーザスケジュール管理部２４に対してスケジュール変更依頼情報の送信を行う（ステップ３８）。
すなわち、映像制御部１１は、対象テレビ番組がユーザスケジュールデータベース２２に登録されている番組か、対象テレビ番組が実際放送中のもの／録画されているものの区別、ユーザがテレビの前にいるかどうかの区別に基づいて、対象テレビ番組をテレビ受像機３に表示するか、録画するか、スケジュールを変更させるかを切り替える。
【００５４】
（２）テレビ番組スケジュールの新規追加
補助デバイス２のユーザスケジュールデータベース２２に対して、テレビ番組スケジュールの新規追加を行う場合、それに伴うモバイル端末側及びSTB側の動作について、図４のテレビ番組表及びスケジュール表、図５（ａ）（ｂ）のフローチャート図を参照して説明する。
補助デバイス２のユーザスケジュールデータベース２２でテレビ番組スケジュールの新規追加を行う場合、今の時刻と、新規登録されたテレビ番組の実際の放送開始時刻との関係性に基づいて、映像受信再生デバイス（STB）１が自動的に動作を切り替える。すなわち、映像制御部１１は、登録された対象テレビ番組が実際放送中のもの／録画されているものの区別、ユーザがテレビの前にいるかどうかの区別に基づいて、対象テレビ番組をテレビに表示するか、録画するか、ユーザスケジュールデータベース２２に追加するかを切り替える。
【００５５】
映像スケジュールデータベース１６のテレビ番組表（図４（ａ））の番組欄をチェックすることで、チェックされた番組の詳細データが表示された視聴時間帯の入力画面（図４（ｂ））が表示される。そして、視聴時間帯を入力し登録ボタンを押すことで、そのデータがユーザスケジュールデータベース２２のスケジュール表（図４（ｃ））に表示される。
【００５６】
補助デバイス（モバイル端末）２において、スケジュール帳を起動してテレビ番組表（図４（ａ））を表示し（ステップ５１）、観たいテレビ番組を選択（チェック）すると（ステップ５２）、そのテレビ番組をスケジュールを追加するためのダイアログ（図４（ｂ））が表示される（ステップ５３）。その画面で、そのテレビ番組を観たい時間を設定して登録すると（ステップ５４）、ユーザスケジュールデータベース２２に登録されスケジュール帳（図４（ｃ））に反映され（ステップ５５）、映像受信再生デバイス１側に新規登録情報が送信される（ステップ５６）。
映像受信再生デバイス(STB)１側では、モバイル端末通信部１５が補助デバイス２側からの新規登録情報を受信すると（ステップ５７）、ユーザスケジュールデータベース２２の追加・更新を行う（ステップ５８）。
【００５７】
次に、テレビ番組スケジュールの新規追加に伴って行う映像受信再生デバイス(STB)１側の動作について、図６のテレビ番組表及びスケジュール表、図７のフローチャート図を参照して説明する。
テレビ番組スケジュールの新規追加において、今の時刻と、新規登録されたテレビ番組の実際の放送開始時刻との関係性に基づいて、映像受信再生デバイス１が自動的に動作を切り替える。
【００５８】
例えば、図６（ａ）の番組表及びスケジュール表に示すように、今の時間が１４時３０分である時、新規登録番組（Y-14-01）の開始時間が１４時３０分より以前の１４時である場合、番組（Y-14-01）を選択した時に、録画されている映像を視聴するものと判断し、希望視聴時間を入力することで、例えば１５時３０分から番組（Y-14-01）を視聴することがユーザスケジュールデータベース２２に追加される。
また、図６（ｂ）の番組表及びスケジュール表に示すように、今の時間が１４時３０分である時、新規登録番組（Y-15-01）の開始時間が１４時３０分より以後の１５時である場合、番組（Y-15-01）を選択した時に、スケジュール表では１５時から番組（z-21-01）が視聴予定である場合、番組（Y-15-01）は録画映像を視聴するものと判断し、希望視聴時間を入力することで、例えば１５時３０分から番組（Y-15-01）を視聴することがユーザスケジュールデータベースに追加される。
【００５９】
映像受信再生デバイス(STB)１において、モバイル端末通信部１５が補助デバイス２側からのユーザスケジュールデータベース２２の更新・変更情報を受信すると（ステップ７１）、今放送中の番組であるかを判断し（ステップ７２）、放送中の番組であればユーザがテレビの前にいるかどうかを判断し（ステップ７３）、ユーザがテレビの前にいる場合はスケジュールに空きがあるかを判断し（ステップ７４）、スケジュールの空きがある場合にはテレビ番組を選局して再生する（ステップ７５）。
ステップ７４でスケジュールの空きがない場合には、ユーザにテレビ番組の再生か録画かを選択させる（ステップ７６）。
ステップ７３でユーザがテレビの前にいない場合は、テレビ番組を録画し（ステップ７７）、録画中情報をユーザデータベースに更新する（ステップ７８）。
ステップ７２で放送中の番組でない場合、予約情報をユーザデータベースに更新する（ステップ７９）。
すなわち、映像制御部１１は、登録された対象テレビ番組が実際放送中のもの／録画されているものの区別、ユーザがテレビの前にいるかどうかの区別に基づいて、対象テレビ番組をテレビに表示するか、録画するか、ユーザスケジュールデータベース２２に追加するかを切り替える。
【００６０】
（３）「テレビ番組スケジュールの変更」
補助デバイス２のユーザスケジュールデータベース２２に対して、テレビ番組スケジュールの変更を行う場合、それに伴うモバイル端末側及びSTB側の動作について、図８のテレビ番組表及びスケジュール表、図９（ａ）（ｂ）のフローチャート図を参照して説明する。
ユーザスケジュールデータベース２２のスケジュール表（図８（ａ））に表示された既に登録された視聴予定の番組をチェックすることで、登録済の番組データが表示された入力画面（図８（ｂ））が表示され、変更する視聴時間を入力し登録ボタンを押すことで、そのデータがスケジュール表（図８（ｃ））に反映される。
【００６１】
補助デバイス（モバイル端末）２において、テレビ番組スケジュールの変更動作を行う場合、スケジュール帳を起動してスケジュール表（図８（ａ）左）を表示し（ステップ９１）、変更したいテレビ番組スケジュールを選択（チェック）すると（ステップ９２）、そのスケジュールを変更するためのダイアログ（図８（ａ）中）が表示される（ステップ９３）。その画面で、そのテレビ番組を観る変更後の時間を設定して登録すると（ステップ９４）、ユーザスケジュールデータベース２２のスケジュール帳（図８（ａ）右）に登録され（ステップ９５）、映像受信再生デバイス１側に変更情報が送信される（ステップ９６）。
映像受信再生デバイス(STB)１側では、モバイル端末通信部１５が補助デバイス２側からの変更情報を受信すると（ステップ９７）、ユーザスケジュールデータベース２２のスケジュール帳（図８（ｂ））を更新する（ステップ９８）。
【００６２】
なお、ユーザが手動でスケジュールを変更しなくても、映像受信再生デバイス（STB）１側で自動的に判断してもよい。その際、一旦は、当該テレビ番組を録画しておき、その後、ユーザに対して、当該テレビ番組を観る時間を設定するようメッセージを出して設定させるようにしてもよい。
【００６３】
（４）「ユーザの状況、他のスケジュール、テレビ番組の重要性に応じた提示」
次に、上述した基本動作に加えて、スケジュールを新規登録する時、変更する時、予定しているスケジュールを変更する必要性が生じた時において、スケジュール方法及び視聴方法の候補をユーザの状況、他のスケジュール、テレビ番組の重要性に応じて、自動的かつ適応的に提示する場合について説明する。
【００６４】
（ａ）予定しているスケジュールを変更する必要性が生じたとき
現在時刻と、直近の登録済みテレビ番組スケジュールの開始時刻とを随時比較し、ユーザの移動状況から判断して、当該テレビ番組を視聴できないと判断できたとき、本動作を行う。
その判断は、現在時刻、ユーザの現在地、および、ユーザの移動状況から、ユーザが自宅のテレビ受像機の前に着く時刻を予測し、当該テレビ番組の視聴開始時刻よりも遅れるかどうかを比較する。
【００６５】
遅れると判断できたとき、同スケジュールのまま当該テレビ番組を視聴するか、スケジュールを遅らせて視聴するかを、ユーザに問う。同スケジュールのまま「当該テレビ番組を視聴する」を選択した場合、ユーザの現在の状況を継続してモバイル端末上で当該テレビ番組を視聴するか、ユーザの最近隣の公衆無線LANスポットに移動して、モバイル端末あるいはそこに設置された受像機上で当該テレビ番組を視聴するかの候補を提示する。
【００６６】
ユーザの最近隣の公衆無線LANスポットに移動して視聴する候補を提示するのは、現在時刻、ユーザの現在地、ユーザの移動状況、および、最近隣の公衆無線LANスポットまでの距離から、ユーザがそのスポットに着く時刻を予測し、当該テレビ番組の視聴開始時刻よりも遅れるかどうかを比較する。
【００６７】
当該テレビ番組の視聴は、モバイル端末に備わったテレビチューナ（例えばワンセグ）を利用して再生する、又は、自宅のHDRに通信ネットワーク経由で受信できるアプリを利用して再生する、又は、インターネット経由で受信できるブラウザを利用して再生してもよい。
【００６８】
（ｂ）あるテレビ番組の視聴スケジュールを新規登録あるいは変更して、同時間帯に他のスケジュールがすでに登録されているとき
対象テレビ番組を新規登録あるいは変更して、同登録時間帯に他のスケジュールがすでに登録されていて競合するとき、本動作を行う。
【００６９】
２つのスケジュールが競合したとき、登録内容を改めてユーザに確認するだけでなく、２つのスケジュールの重要度を元に比較しつつ、他のスケジュール内容および視聴方法の候補を提示する。つまり、登録済みのスケジュールと、当該テレビ番組のスケジュールの重要度を比較し、重要度の高い方を優先して登録する。スケジュールが当該テレビ番組の重要度の方が低かった場合、その他のスケジュール候補を提示して、ユーザに選択させる。
【００７０】
対象となるスケジュールの重要度、および、競合する２つのスケジュールの中の重要度比較は、次のルールで決定する。登録済みのスケジュールが、テレビ番組以外の予定である場合は、その種類に関係なく、その重要度の方が、登録しようとした当該テレビ番組の重要度よりも高いと判定する。
また、登録しようとしたテレビ番組が、地デジ／BS／CS放送で現在放送中あるいは間もなく放送される番組のとき、あるいは、ライブ限定で録画もできないインターネットストリーミング番組のとき、その重要度の方が高いと判定する。もし、競合する番組ともに現在放送中あるいは間もなく放送される番組など、条件が同じ場合には、先に登録している方を優先して、後から登録しようとした方を録画に回した後、その視聴スケジュール内容および視聴方法の候補を提示する。
【００７１】
さらに、登録済みのスケジュールおよび登録しようとしたスケジュールがテレビ番組（録画済みであり）である場合、その重要度は、「対象のテレビ番組が、地デジ／BS／CS／インターネットストリーミングのいずれかに基づく重要度d1」、「対象のテレビ番組（放送前）に関するインターネット解析情報に基づく重要度d2」、「対象のテレビ番組（放送済み）に関するインターネット解析情報に基づく重要度d3」、「対象のテレビ番組（放送済み）に関する映像解析情報に基づく重要度d4」を線形和して決定する。つまり、各項目に関する係数をa1、a2、a3、a4で与えると、各テレビ番組の重要度は、d1*(a2*d2+a3*d3+a4*d4)で求める。
【００７２】
上述した方法によって重要度の低い方のスケジュールで、かつ、それがテレビ番組であったとき、その新たなスケジュールを設定させるフォームを、ユーザに提示し、手動で入力させるのに加えて、当該テレビ番組が、現在時刻でも視聴できる状態である（放送済みで録画されている、放送中、間もなく放送される）ときには、ユーザの移動状況に応じて、スケジュール内容および視聴方法の候補を提示する。
すなわち、当該テレビ番組が放送済みで録画されている場合、ユーザは今すぐでなくても、いつでもそのテレビ番組を見ることができるため、競合した優先度の高かったテレビ番組のスケジュールの前後の時間帯の中で、当該テレビ番組の視聴時間が埋まる最も近い時間帯を自動的に探索し、ユーザに提示する。
【００７３】
上述した例において、登録するスケジュールとして、テレビ番組のスケジュールを登録するときを想定して記述したが、テレビ番組に関係しない一般的な予定であっても、同様に処理する。また、上記以外に想定されるシーケンス、判定条件であっても、同様に処理する。
【００７４】
上述した例において、ユーザ状況に応じてスケジュール候補を提示するとき、ユーザのスケジュールの中で、当該テレビ番組の再生時間が入る空き時間があるときを想定したが、映像解析技術を利用して、当該テレビ番組のダイジェスト映像を生成し、再生時間を短縮することで、当該空き時間よりも短い空き時間に入れることもできる。
【００７５】
上述した例において、ユーザ状況に応じてスケジュール候補を提示するとき、ユーザの周辺状況として、映像を出力できるが音は出力できない環境、あるいは、映像は出力できないが音は出力できる環境であるとき、対象テレビ番組に対して、それぞれの環境に合わせて編集することで、スケジュールの空き時間を効果的に利用するようなスケジュール候補提示であってもよい。
【００７６】
上述したシステム例では、自分のスケジュールの中だけを想定した例を示したが、自分のスケジュールに関係する他人のスケジュールと競合するときも同様に処理する。
【００７７】
上述した映像視聴システムによれば、ユーザがテレビ番組を見たいと思う時間帯にスケジュール登録でき、かつ、ユーザがテレビ番組を見られる環境であれば、スケジュールの中で効果的に見られるようにスケジュール機能およびテレビ番組視聴管理（放送受信、再生、録画など）を行うことができる。
【符号の説明】
【００７８】
１…映像受信再生デバイス（視聴スケジュール管理装置）、  ２…補助デバイス（モバイル端末）、  ３…テレビ受像機、  １１…映像制御部、  １２…録画映像記録部、  １３…映像データベース、  １４…視聴方法決定部、  １５…モバイル端末通信部、  １６…映像スケジュールデータベース、  １７…再生制御部、  ２１…STB通信部、  ２２…ユーザスケジュールデータベース、  ２３…ユーザ状況推定部、  ２４…ユーザスケジュール管理部、  ２５…行動予定入力部。
【図１】
2014123886.tif 000003
【図２】
2014123886.tif 000004
【図３】
2014123886.tif 000005
【図４】
2014123886.tif 000006
【図５】
2014123886.tif 000007
【図６】
2014123886.tif 000008
【図７】
2014123886.tif 000009
【図８】
2014123886.tif 000010
【図９】
2014123886.tif 000011